(57)【特許請求の範囲】
【請求項１】
紐端部をケース部材とキャップ部材とで狭持固定する紐止め具であって、
前記ケース部材は、表面から裏面まで貫通した第一貫通部と、前記紐端部が挿入される紐用開口部と、前記キャップ部材が挿入される前記紐用開口部の反対側に設けられたキャップ用開口部と、前記紐用開口部から前記キャップ用開口部まで連通し、前記紐端部を収容可能な収容部とを有し、
前記キャップ部材は、表面から裏面まで貫通した第二貫通部と、前記ケース部材の前記キャップ用開口部を塞ぐための閉塞部と、前記ケース部材の収容部側縁との間で前記紐端部を狭持する狭持部とを有し、
前記ケース部材に前記キャップ部材を係合させると、前記第一貫通部と第二貫通部とが重なりあった際、それぞれ略直線状に構成された前記ケース部材側の第一貫通端と前記キャップ部材側の第二貫通端が面一または第一貫通端が突出すると共に、前記ケース部材には、第一貫通部の上端中央に係合凹部が形成され、キャップ部材には、第二貫通部の周縁に係合突起が立設されており、両部材を係合した際にそれぞれの係合凹部と係合突起とが係合し、且つ前記紐用開口部から挿入された紐端部を前記収容部側縁と狭持部で狭持固定することを特徴とする紐止め具。
【請求項２】
前記ケース部材の第一貫通部と前記キャップ部材の第二貫通部にそれぞれ紐端部の挿入方向と直交する方向に切欠き部を設けたことを特徴とする請求項１記載の紐止め具。
【請求項３】
前記ケース部材の第一貫通部と前記キャップ部材の第二貫通部にそれぞれ形成された切欠き部は、前記ケース部材と前記キャップ部材を係合した際に同一位置になることを特徴とする請求項１または２に記載の紐止め具。
【請求項４】
前記ケース部材に設けた前記紐用開口部は、複数の紐端部を収容するための複数の穴部から構成されることを特徴とする請求項１〜３のいずれか１に記載の紐止め具。
【発明の詳細な説明】
【技術分野】
【０００１】
この発明は、紐の端末部を内部に収納し、抜け止め状態で固着する紐止め具に関するものである。
【背景技術】
【０００２】
図２６は、従来の紐止め具の一例を示す分解図、図２７は、従来の紐止め具の一例を示す説明図である。ここで、紐止め具は、紐止め具本体１を開閉可能なフック２と一対のアーム３、４とで構成し、一対のアーム３、４に、キャップ５を装着することで紐６をアーム３、４間で両方向から挟持して固定する挟持部７を設けると共に、キャップ５により押圧された紐６を支持する支持部８、９を設けたものである（特許文献１）。
【０００３】
つまり、特許文献１に開示されたものは、フック２のみに外力が作用するように構成したものである（特許文献１）。
【先行技術文献】
【特許文献】
【０００４】
【特許文献１】特開２００８−３３５号公報
【発明の概要】
【発明が解決しようとする課題】
【０００５】
しかし、従来の紐止め具は、紐止め具本体のフック２にのみ係合穴を設けているために、引き抜き方向の紐保持力が弱いと云う欠点が存在した。
また、使用状態において紐止め具本体の頭部（フック部）がキャップ部材から露出しているために、外部から力が加わると両者の係合が外れ易いと云った不都合が存在した。
【０００６】
この発明は、上記したような不都合を解消する為になされたもので、二部材に貫通孔を設けるとともに貫通孔のフラットな係合面に外力が作用して、抜去方向の耐荷力が強く、二部材の係合が外れ難い紐止め具を提供するものである。
【課題を解決するための手段】
【０００７】
この発明は、以下のような内容である。
（１）紐端部をケース部材とキャップ部材とで狭持固定する紐止め具であって、前記ケース部材は、表面から裏面まで貫通した第一貫通部と、前記紐端部が挿入される紐用開口部と、前記キャップ部材が挿入される前記紐用開口部の反対側に設けられたキャップ用開口部と、前記紐用開口部から前記キャップ用開口部まで連通し、前記紐端部を収容可能な収容部とを有し、前記キャップ部材は、表面から裏面まで貫通した第二貫通部と、前記ケース部材の前記キャップ用開口部を塞ぐための閉塞部と、前記ケース部材の収容部側縁との間で前記紐端部を狭持する狭持部とを有し、前記ケース部材に前記キャップ部材を係合させると、前記第一貫通部と第二貫通部とが重なりあった際、それぞれ略直線状に構成された前記ケース部材側の第一貫通端と前記キャップ部材側の第二貫通端が面一または第一貫通端が突出すると共に、前記ケース部材には、第一貫通部の上端中央に係合凹部が形成され、キャップ部材には、第二貫通部の周縁に係合突起が立設されており、両部材を係合した際にそれぞれの係合凹部と係合突起とが係合し、且つ前記紐用開口部から挿入された紐端部を前記収容部側縁と狭持部で狭持固定することを特徴とする。
（２）（１）に記載の紐止め具において、前記ケース部材の第一貫通部と前記キャップ部材の第二貫通部にそれぞれ紐端部の挿入方向と直交する方向に切欠き部を設けたことを特徴とする。
（３）（１）または（２）に記載の紐止め具において、前記ケース部材の第一貫通部と前記キャップ部材の第二貫通部にそれぞれ形成された切欠き部は、前記ケース部材と前記キャップ部材を係合した際に同一位置になることを特徴とする。
（４）（１）から（３）に記載の紐止め具において、前記ケース部材に設けた前記紐用開口部は、複数の紐端部を収容するための複数の穴部から構成されることを特徴とする。
【発明の効果】
【０００８】
この発明によれば、紐端部をケース部材とキャップ部材とで狭持固定する紐止め具であって、前記ケース部材は、表面から裏面まで貫通した第一貫通部と、前記紐端部が挿入される紐用開口部と、前記キャップ部材が挿入される前記紐用開口部の反対側に設けられたキャップ用開口部と、前記紐用開口部から前記キャップ用開口部まで連通し、前記紐端部を収容可能な収容部とを有し、前記キャップ部材は、表面から裏面まで貫通した第二貫通部と、前記ケース部材の前記キャップ用開口部を塞ぐための閉塞部と、前記ケース部材の収容部側縁との間で前記紐端部を狭持する狭持部とを有し、前記ケース部材に前記キャップ部材を係合させると、前記第一貫通部と第二貫通部とが重なりあった際、それぞれ略直線状に構成された前記ケース部材側の第一貫通端と前記キャップ部材側の第二貫通端が面一または第一貫通端が突出すると共に、前記ケース部材には、第一貫通部の上端中央に係合凹部が形成され、キャップ部材には、第二貫通部の周縁に係合突起が立設されており、両部材を係合した際にそれぞれの係合凹部と係合突起とが係合し、且つ前記紐用開口部から挿入された紐端部を前記収容部側縁と狭持部で狭持固定するので、貫通部に物を引っ掛けた場合、引張り方向に対して強力な耐荷力を発揮できる。
また、貫通部は、物を掛けるフックとしての機能の他に、軽量化や掴み易さを向上することができる。更に、キャップ部材に抜去方向の外力が加わり難く、紐が抜けにくい。また、ケース部材とキャップ部材とを強固に係合することができる。
また、前記ケース部材の第一貫通部と前記キャップ部材の第二貫通部にそれぞれ紐端部の挿入方向と直交する方向に切欠き部を設けたので、第一貫通部と第二貫通部がそれぞれフックとなり、係合することができる。
更に、前記ケース部材の第一貫通部と前記キャップ部材の第二貫通部にそれぞれ形成された切欠き部は、前記ケース部材と前記キャップ部材を係合した際に同一位置になるので、貫通部同士がフックとなり相互に係合できる。
また、前記ケース部材に設けた前記紐用開口部は、複数の紐端部を収容するための複数の穴部から構成されるので、複数の紐端部を係止することができる。また、紐をループ状に係止することもできる。
【図面の簡単な説明】
【０００９】
【図１】図１は、この発明の一実施の形態を示す紐止め具の正面図である。
【図２】図２は、同紐止め具の側面図である。
【図３】図３は、同紐止め具を構成するケース部材の正面図ある。
【図４】図４は、同紐止め具を構成するケース部材の側面図ある。
【図５】図５は、図４のＡ−Ａ線断面図である。
【図６】図６は、図３のＢ−Ｂ線断面図である。
【図７】図７は、同ケース部材の底面図である。
【図８】図８は、同紐止め具を構成するキャップ部材の平面図である。
【図９】図９は、同キャップ部材の正面図である。
【図１０】図１０は、図８のＣ−Ｃ線断面図である。
【図１１】図１１は、同キャップ部材の側面図である。
【図１２】図１２は、図９のＤ−Ｄ線断面図である。
【図１３】図１３は、同紐止め具の使用状態を示す説明図である。
【図１４】図１４は、同紐止め具の他の実施の形態を示す斜視図である。
【図１５】図１５は、同紐止め具の他の実施の形態を示す正面図である。
【図１６】図１６は、同紐止め具の他の実施の形態を示す側面図である。
【図１７】図１７は、同紐止め具の他の実施の形態を示す平面図である。
【図１８】図１８は、同紐止め具の他の実施の形態を示す底面図である。
【図１９】図１９は、同紐止め具の他の実施の形態を構成するキャップ部材の正面図である。
【図２０】図２０は、同キャップ部材の他の実施の形態の側面図である。
【図２１】図２１は、同紐止め具の他の実施の形態を構成するケース部材の正面図である。
【図２２】図２２は、同ケース部材の他の実施の形態の側面図である。
【図２３】図２３は、同紐止め具の他の実施の形態の使用状態を示す説明図である。
【図２４】図２４は、同紐止め具の他の実施の形態の使用状態を示す説明図である。
【図２５】図２５は、同紐止め具の他の実施の形態の使用状態を示す説明図である。
【図２６】図２６は、従来の紐止め具の一例を示す分解図である。
【図２７】図２７は、従来の紐止め具の一例を示す説明図である。
【発明を実施するための最良の形態】
【００１０】
本発明は、紐端部をケース部材とキャップ部材とで狭持固定する紐止め具であって、ケース部材に形成された第一貫通部と、キャップ部材に形成された第二貫通部とが、ケース部材にキャップ部材を係合させると、重なるとともに、ケース部材の紐用開口部から挿入された紐端部を収容部側縁とキャップ部材の狭持部で狭持固定するので、貫通部に物を引っ掛けた場合、引張り方向に対して強力な耐荷力を発揮できる。
【実施例１】
【００１１】
図１は、この発明の一実施の形態を示す紐止め具の正面図、図２は本発明の紐止め具の側面図、図３は本発明の紐止め具を構成するケース部材の正面図、図４は本発明の紐止め具を構成するケース部材の側面図、図５は、図４のＡ−Ａ線断面図、図６は、図３のＢ−Ｂ線断面図、図７は本発明のケース部材の底面図、図８は本発明の紐止め具を構成するキャップ部材の平面図、図９は本発明のキャップ部材の正面図、図１０は、図８のＣ−Ｃ線断面図、図１１は、本発明のキャップ部材の側面図、図１２は、図９のＤ−Ｄ線断面図である。
ここで紐止め具１０は、紐端部をケース部材１１とキャップ部材１２とで狭持固定するものであって、ケース部材１１は、表面から裏面まで貫通した第一貫通部１３と、紐端部が挿入される紐用開口部１４と、キャップ部材１２が挿入される紐用開口部１４の反対側に設けられたキャップ用開口部１５と、前記紐用開口部１４から前記キャップ用開口部１５まで連通し、前記紐端部を収容可能な収容部１６とを有し、前記キャップ部材１２は、表面から裏面まで貫通した第二貫通部１７と、前記ケース部材１１の前記キャップ用開口部１５を塞ぐための閉塞部１８と、前記ケース部材１１の収容部側縁１６ａとの間で前記紐端部を狭持する狭持部１９とを備えている。
【００１２】
ケース部材１１は、図３等に示すように、表面から裏面まで貫通した第一貫通部１３を有するとともに、第一貫通部１３の上端中央にキャップ部材１２に形成された係合突起２３と係合する為の係合凹部２０が形成されている。また、第一貫通部１３の上端縁である第一貫通端２９は、略直線状に構成されている。また、第一貫通部１３の周縁部１３ａは、凹溝状に低く形成されて、指等で摘み易く構成されている。更に、ケース部材１１の表面は、シボ、梨地加工が為されており、摘んだ際に滑り難く構成されている。
【００１３】
図５、６に示すようにケース部材１１の上端にはキャップ用開口部１５が形成されるとともに、下端には紐端部が挿入される紐用開口部１４が形成されており、収容部１６によって連通されている。また、収容部側縁１６ａは、図５に示すように紐用開口部１４方向に向かって、幅が狭く構成されている。つまり、キャップ用開口部１５より紐用開口部１４が小さく形成されており、キャップ部材１２を上端から挿入した場合、紐用開口部１４方向に抜ける虞れがない。更に、収容部１６の中央には、突条２１が形成されており、キャップ部材１２に設けられた凹溝と係合可能となっている。また、図７に示すようにケース部材１１に設けた紐用開口部１４は、複数の紐端部を収容するための複数の穴部２２から構成されており、本実施の形態では２個の穴部２２が亜鈴状に連結されている。
【００１４】
キャップ部材１２は、図８〜図１２に示すように表面から裏面まで貫通した第二貫通部１７と、ケース部材１１のキャップ用開口部１５を塞ぐための閉塞部１８と、ケース部材１１の収容部側縁１６ａとの間で紐端部を狭持する狭持部１９とを有し、ケース部材１１にキャップ部材１２を係合させると、第一貫通部１３と第二貫通部１７とが重なるよう構成されている。また、第二貫通部１７の上端縁である第二貫通端３０は、略直線状に構成されており、ケース部材１１にキャップ部材１２を係合させた際、第一貫通端２９と第二貫通端３０は面一または第一貫通端２９が突出するよう構成されている。
【００１５】
キャップ部材１２は、閉塞部１８の一部で第二貫通部１７の周縁にケース部材１１に形成された係合凹部２０と係合するための係合突起２３が立設されている。本実施の形態では、係合突起２３は、図８に示すように閉塞部１８の表面および裏面にそれぞれ一対形成されている。また、図９に示すようにキャップ部材１２の中央には、ケース部材１１の突条２１と係合するための凹溝２４が形成されている。凹溝２４は、ケース部材１１の両面に形成されている。更に、キャップ部材１２の両側でキャップ部材１２の収容部側縁１６ａと対向する部位には、狭持部１９が形成されており、この狭持部１９には、紐と噛み合う複数の係合突起２５が形成されている。
【００１６】
次に、以上の様に構成された紐止め具１０の使用手順について説明する。先ず、ケース部材１１の紐用開口部１４から紐２６を挿入し、キャップ用開口部１５から外に延ばし、この伸びた紐端部をキャップ部材１２の狭持部１９（係合突起２５）にセットする。紐端部を狭持部１９にセットしたまま、ケース部材１１とキャップ部材１２を係合する。ケース部材１１とキャップ部材１２が完全に係合すると、ケース部材の係合凹部２０とキャップ部材の係合突起２３が係合し、両部材は外れなくなる。この時、紐端部は、狭持部１９とケース部材１１の収容部側縁１６ａの間で狭持され、抜ける虞れがない。更に、狭持部１９には、係合突起２５が形成されているので、この係合突起２５が紐端部を咬み込み、一層強固に狭持することができる。図１３は、固定した鉄板２７に形成した取付け穴２８に紐２６を取付けた紐止め具１０をセットして、荷重Fを加えたコードストッパとしての試験状態を示すものである。引張破壊強度Fを９８N以上、室温で引張速度１００ｍｍ／分で行ったが充分満足する結果を得ることができた。
【００１７】
また、図１から明らかなように、ケース部材１１とキャップ部材１２を係合し、第一貫通部１３と第二貫通部１７とが重なりあった際、ケース部材側の第一貫通端２９とキャップ部材側の第二貫通端３０が面一または第一貫通端２９が突出するよう構成されているので、両貫通部の物を掛けた場合、ケース部材１１とキャップ部材１２の係合が外れ難い。更に、ケース部材１１とキャップ部材１２は、突条２１と凹溝２４で係合しているので、一層強固の係合することができる。
【実施例２】
【００１８】
図１４は本発明の紐止め具の他の実施の形態を示す斜視図、図１５は本発明の紐止め具の他の実施の形態を示す正面図、図１６は本発明の紐止め具の他の実施の形態を示す側面図、図１７は本発明の紐止め具の他の実施の形態を示す平面図、図１８は本発明の紐止め具の他の実施の形態を示す底面図、図１９は本発明の紐止め具の他の実施の形態を構成するキャップ部材の正面図、図２０は本発明のキャップ部材の他の実施の形態の側面図、図２１は本発明の紐止め具の他の実施の形態を構成するケース部材の正面図、図２２は本発明のケース部材の他の実施の形態の側面図である。本実施の形態において、紐止め具４０は、ケース部材４１の第一貫通部４２とキャップ部材４３の第二貫通部４４にそれぞれ紐端部の挿入方向と直交する方向に切欠き部４５、４６が設けられている点を除き、他の構造は第１の実施例と略同様である。
【００１９】
切欠き部４５、４６は、紐端部の挿入方向Ｙと直交する方向に形成されている。また、ケース部材４１は、切欠き部４５に向かってテーパ状に形成されている。
【００２０】
キャップ部材４３は、図１９、２０に示すように表面から裏面まで貫通した第二貫通部４４ と、ケース部材４１のキャップ用開口部４７を塞ぐための閉塞部４８と、ケース部材４１の収容部側縁との間で紐端部を狭持する狭持部４９とを有し、ケース部材４１にキャップ部材４３を係合させると、第一貫通部４２と第二貫通部４４ とが重なるよう構成されている。また、第二貫通部４４ の上端縁である第二貫通端５０は、略直線状に構成されており、ケース部材４１にキャップ部材４３を係合させた際、第一貫通端５１と第二貫通端５０は面一または第一貫通端５１が突出するよう構成されている。
【００２１】
また、キャップ部材４３は、ケース部材４１に形成された係合凹部５２と係合するための係合突起５３が立設されている。係合突起５３は、表面および裏面にそれぞれ一対形成されている。また、キャップ部材４３の両側でキャップ部材４３の収容部側縁と対向する部位には、狭持部４９が形成されており、この狭持部４９には、紐と噛み合う複数の係合突起５４が形成されている。
【００２２】
ケース部材４１は、図２１、２２に示すように、表面から裏面まで貫通した第一貫通部４２を有するとともに、キャップ部材４３に形成された係合突起５３と係合する為の係合凹部５２が形成されている。また、第一貫通部４２の上端縁である第一貫通端５１は、略直線状に構成されている。
【００２３】
また、ケース部材４１の上端にはキャップ用開口部４７が形成されるとともに、下端には紐端部が挿入される紐用開口部５５が形成されており、収容部によって連通されている。
【００２４】
以上の様に構成された紐止め具４０は、図２３に示すようにケース部材４１の紐用開口部５５から紐２６を挿入し、キャップ用開口部４７から外に延ばし、この伸びた紐端部をキャップ部材４３の狭持部４９にセットする。紐端部を狭持部４９にセットしたまま、ケース部材４１とキャップ部材４３を係合すると、ケース部材の係合凹部５２とキャップ部材の係合突起５３が係合し、両部材は外れなくなる。この時、紐端部は、狭持部４９とケース部材４１の収容部側縁の間で狭持され、抜ける虞れがない。また、狭持部４９には、係合突起５４が形成されているので、この係合突起５４が紐端部を咬み込み、一層強固に狭持する。
【００２５】
図２３、２４は、本発明の紐止め具の使用状態を示す説明図である。本実施の形態の紐止め具４０では、紐２６の端部に取付けた後、紐止め具４０同士を切欠き部４５、４６合わせて係合することができる。このようにして第一貫通部４２、第二貫通部４４を係合した際、ケース部材側の第一貫通端５１とキャップ部材側の第二貫通端５０が面一または第一貫通端５１が突出するよう構成されているので、ケース部材４１とキャップ部材４３の係合が外れ難い。
【００２６】
上記した実施の形態において、紐用開口部の穴部を２個設ける例を示したが、これに限ることなく、１個または３個以上であってもよい。
【００２７】
また、本発明は上述の実施例に限定されることなく、特許請求の範囲の記載に基づいて種々の設計変更が可能である。
【符号の説明】
【００２８】
１０    紐止め具
１１    ケース部材
１２    キャップ部材
１３    第一貫通部
１３ａ  周縁部
１４    紐用開口部
１５    キャップ用開口部
１６    収容部
１６ａ  収容部側縁
１７    第二貫通部
１８    閉塞部
１９    狭持部
２０    係合凹部
２１    突条
２２    穴部
２３    係合突起
２４    凹溝
２５    係合突起
２６    紐
２７    鉄板
２８    取付け穴
２９    第一貫通端
３０    第二貫通端
４０    紐止め具
４１    ケース部材
４２    第一貫通部
４３    キャップ部材
４４    第二貫通部
４５    切欠き部
４６    切欠き部
４７    キャップ用開口部
４８    閉塞部
４９    狭持部
５０    第二貫通端
５１    第一貫通端
５２    係合凹部
５３    係合突起
５４    係合突起
５５    紐用開口部
【図１】
0005716952.tif 000002
【図２】
0005716952.tif 000003
【図３】
0005716952.tif 000004
【図４】
0005716952.tif 000005
【図５】
0005716952.tif 000006
【図６】
0005716952.tif 000007
【図７】
0005716952.tif 000008
【図８】
0005716952.tif 000009
【図９】
0005716952.tif 000010
【図１０】
0005716952.tif 000011
【図１１】
0005716952.tif 000012
【図１２】
0005716952.tif 000013
【図１３】
0005716952.tif 000014
【図１４】
0005716952.tif 000015
【図１５】
0005716952.tif 000016
【図１６】
0005716952.tif 000017
【図１７】
0005716952.tif 000018
【図１８】
0005716952.tif 000019
【図１９】
0005716952.tif 000020
【図２０】
0005716952.tif 000021
【図２１】
0005716952.tif 000022
【図２２】
0005716952.tif 000023
【図２３】
0005716952.tif 000024
【図２４】
0005716952.tif 000025
【図２５】
0005716952.tif 000026
【図２６】
0005716952.tif 000027
【図２７】
0005716952.tif 000028